(57)【要約】【課題】  スリップオン形の導体接続部において、確実に各部のずれを防止することが可能な電力ケーブル接続方法および電力ケーブルの接続補助治具を提供する。【解決手段】  把持部１９の柄部にレバーホイスト２１を接続し、他端を電力ケーブル２３ａに接続する。この状態で、電力ケーブル２３ａを把持部１９側に引っ張り、電力ケーブル中間接続箱１の他方の開口端９ｂから電力ケーブル２３ａの先端を挿入する。ここで、電力ケーブル２３ａを把持部１９側に引っ張ると、把持部１９は、その反力を受ける。すなわち、電力ケーブル接続補助治具１０は、内部電極３、絶縁筒体５および保護管７に接触して支持するため、電力ケーブル２３ａを引っ張る際の反力は、電力ケーブル接続補助治具１０によって、内部電極３、絶縁筒体５および保護管７で受けることができる。【選択図】図７
2018038207.tif 000002
【特許請求の範囲】
【請求項１】
電力ケーブルの導体同士を接続する内部電極と、
前記内部電極が収容される絶縁筒体と、
前記絶縁筒体の外周側に設けられる保護管と、
を備える電力ケーブル中間接続箱における、電力ケーブル接続方法であって、
前記電力ケーブル中間接続箱の一方の開口端から、接続補助治具を挿入し、前記接続補助治具によって、前記内部電極、前記絶縁筒体、および前記保護管を一方の側から支持する工程ａと、
前記接続補助治具で反力を受けて、前記電力ケーブル中間接続箱の他方の開口端から第１の電力ケーブルの先端を挿入して、前記第１の電力ケーブルの先端を前記内部電極に接続する工程ｂと、
前記接続補助治具を撤去して、前記電力ケーブル中間接続箱の他方の開口端から露出する前記第１の電力ケーブルの外周に前記接続補助治具を装着し、前記接続補助治具によって、前記保護管を他方の側から支持する工程ｃと、
前記接続補助治具で反力を受けて、前記電力ケーブル中間接続箱の一方の開口端から第２の電力ケーブルの先端を挿入して、前記第２の電力ケーブルの先端を前記内部電極に接続する工程ｄと、
を具備することを特徴とする電力ケーブル接続方法。
【請求項２】
前記接続補助治具は、軸体部と、前記軸体部の外周に装着可能な第１のブッシュと、前記第１のブッシュの外周に装着可能な第２のブッシュと、電力ケーブルの外周に装着可能な第３のブッシュと、前記第２のブッシュおよび前記第３のブッシュの外周に装着可能な把持部と、を具備し、
前記工程ａにおいて、前記電力ケーブル中間接続箱の一方の開口端から、前記軸体部を挿入し、前記軸体部の先端を前記内部電極に接触させ、前記電力ケーブル中間接続箱の端部から露出する前記軸体部の外周に、前記第１のブッシュを装着し、前記第１のブッシュの先端を前記絶縁筒体の端部に接触させ、前記第１のブッシュの外周に前記第２のブッシュを装着し、前記第２のブッシュの先端を前記保護管の端部に接触させ、
前記工程ｂにおいて、前記第２のブッシュの外周に前記把持部を装着し、前記把持部で反力を受けて、前記第１の電力ケーブルを前記把持部側に引っ張り、
前記工程ｃにおいて、前記第３のブッシュを、前記第１の電力ケーブルの外周に装着し、前記第３のブッシュの先端を前記保護管の端部に接触させ、
前記工程ｄにおいて、前記第３のブッシュの外周に前記把持部を装着し、前記把持部で反力を受けて、前記第２の電力ケーブルを前記把持部側に引っ張ることを特徴とする請求項１記載の電力ケーブル接続方法。
【請求項３】
前記第１のブッシュは、前記軸体部に対してスライド移動可能であり、任意の位置で前記軸体部に固定可能であり、
前記２のブッシュは、前記第１のブッシュに対してスライド移動可能であり、任意の位置で前記第１のブッシュに固定可能であることを特徴とする請求項２記載の電力ケーブル接続方法。
【請求項４】
電力ケーブル中間接続箱において、電力ケーブルを接続する際に使用される接続補助治具であって、
軸体部と、
前記軸体部の外周に固定可能な第１のブッシュと、
前記第１のブッシュの外周に装着可能な第２のブッシュと、
電力ケーブルの外周に装着可能な第３のブッシュと、
前記第２のブッシュおよび前記第３のブッシュの外周に装着可能な把持部と、を具備し、
前記第１のブッシュは、前記軸体部に対してスライド移動可能であり、任意の位置で前記軸体部に固定可能であり、
前記２のブッシュは、前記第１のブッシュに対してスライド移動可能であり、任意の位置で前記第１のブッシュに固定可能であることを特徴とする電力ケーブルの接続補助治具。
【発明の詳細な説明】
【技術分野】
【０００１】
本発明は、電力ケーブル中間接続箱における、電力ケーブル接続方法およびこれに用いられる電力ケーブルの接続補助治具に関するものである。
【背景技術】
【０００２】
電力ケーブル同士の接続部においては、例えば、ゴムブロック絶縁型の電力ケーブル中間接続箱が用いられる。ゴムブロック絶縁型接続箱は、ゴムブロックを工場又は組立現地にて中空形状のパイプやスパイラルコア上に拡径し、導体スリーブに電力ケーブルを挿入して電力ケーブルを圧縮接続し、ゴムブロックを縮径することで装着される。
【０００３】
電力ケーブルの接続部にゴムブロックを装着後は、ゴムブロックの外周に金属層による電気的遮へい層処理を行い、機械強度保証用の保護管組立と接地線の引出処理が行われる（例えば特許文献１）。
【０００４】
これに対し、ゴムブロックに電気的遮へい処理や保護管組立を予め実施し出荷する形式の中間接続箱もある。このような中間接続箱においては、スパイラルコアにより内径を大きく拡径することをせず、内径は素管状態で出荷し、施工現場ではスリップオン形の導体接続部を用いて電力ケーブルの接続が行われる。スリップオン形導体接続部は、プラグ側とソケット側（以下、接続端子と内部電極とする）に分かれており、両者をスライド挿入させて嵌合させて接続される（例えば特許文献２）。
【先行技術文献】
【特許文献】
【０００５】
【特許文献１】特開２００１−３７０６５号公報
【特許文献２】特開２０１６−４６８５４号公報
【発明の概要】
【発明が解決しようとする課題】
【０００６】
スリップオン形の導体接続部の電力ケーブル中間接続箱は、例えば、内部電極と、内部電極が収容される絶縁筒体と、絶縁筒体の外周側に施される保護管等から構成される。電力ケーブル中間接続箱の両側から電力ケーブルを挿入し、それぞれの端部を内部電極に差し込むことで、電力ケーブル同士が接続される。
【０００７】
しかし、このような電力ケーブル中間接続箱に一方の側から電力ケーブルを挿入する際に、電力ケーブルによって内部電極を押し込み、内部電極がゴムブロックの軸方向にずれてしまうおそれがある。また、同様に、電力ケーブルと絶縁筒体との摩擦などによって、保護管に対して絶縁筒体が軸方向にずれてしまうおそれがある。このように内部電極等がずれてしまうと、ゴムブロック内部の電界歪曲が生じ、電気特性の低下や絶縁破壊の原因ともなる。
【０００８】
本発明は、このような問題に鑑みてなされたもので、スリップオン形の導体接続部において、確実に各部のずれを防止することが可能な電力ケーブル接続方法および電力ケーブルの接続補助治具を提供することを目的とする。
【課題を解決するための手段】
【０００９】
前述した目的を達成するため、第１の発明は、電力ケーブルの導体同士を接続する内部電極と、前記内部電極が収容される絶縁筒体と、前記絶縁筒体の外周側に設けられる保護管と、を備える電力ケーブル中間接続箱における、電力ケーブル接続方法であって、前記電力ケーブル中間接続箱の一方の開口端から、接続補助治具を挿入し、前記接続補助治具によって、前記内部電極、前記絶縁筒体、および前記保護管を一方の側から支持する工程ａと、前記接続補助治具で反力を受けて、前記電力ケーブル中間接続箱の他方の開口端から第１の電力ケーブルの先端を挿入して、前記第１の電力ケーブルの先端を前記内部電極に接続する工程ｂと、前記接続補助治具を撤去して、前記電力ケーブル中間接続箱の他方の開口端から露出する前記第１の電力ケーブルの外周に前記接続補助治具を装着し、前記接続補助治具によって、前記保護管を他方の側から支持する工程ｃと、前記接続補助治具で反力を受けて、前記電力ケーブル中間接続箱の一方の開口端から第２の電力ケーブルの先端を挿入して、前記第２の電力ケーブルの先端を前記内部電極に接続する工程ｄと、を具備することを特徴とする電力ケーブル接続方法である。
【００１０】
前記接続補助治具は、軸体部と、前記軸体部の外周に装着可能な第１のブッシュと、前記第１のブッシュの外周に装着可能な第２のブッシュと、電力ケーブルの外周に装着可能な第３のブッシュと、前記第２のブッシュおよび前記第３のブッシュの外周に装着可能な把持部と、を具備し、前記工程ａにおいて、前記電力ケーブル中間接続箱の一方の開口端から、前記軸体部を挿入し、前記軸体部の先端を前記内部電極に接触させ、前記電力ケーブル中間接続箱の端部から露出する前記軸体部の外周に、前記第１のブッシュを装着し、前記第１のブッシュの先端を前記絶縁筒体の端部に接触させ、前記第１のブッシュの外周に前記第２のブッシュを装着し、前記第２のブッシュの先端を前記保護管の端部に接触させ、前記工程ｂにおいて、前記第２のブッシュの外周に前記把持部を装着し、前記把持部で反力を受けて、前記第１の電力ケーブルを前記把持部側に引っ張り、前記工程ｃにおいて、前記第３のブッシュを、前記第１の電力ケーブルの外周に装着し、前記第３のブッシュの先端を前記保護管の端部に接触させ、前記工程ｄにおいて、前記第３のブッシュの外周に前記把持部を装着し、前記把持部で反力を受けて、前記第２の電力ケーブルを前記把持部側に引っ張ることが望ましい。
【００１１】
前記第１のブッシュは、前記軸体部に対してスライド移動可能であり、任意の位置で前記軸体部に固定可能であり、前記２のブッシュは、前記第１のブッシュに対してスライド移動可能であり、任意の位置で前記第１のブッシュに固定可能であってもよい。
【００１２】
第１の発明によれば、電力ケーブル中間接続箱の一方の開口端から接続補助治具を挿入し、接続補助治具によって、内部電極、絶縁筒体、および保護管を一方の側から支持した状態で、電力ケーブルの先端を電力ケーブル中間接続箱に挿入するため、各部のずれを防止することができる。
【００１３】
また、接続補助治具が、電力ケーブル中間接続箱の各部を押さえる部材が互いに分離されているため、電力ケーブル中間接続箱のサイズ等に応じて各部の位置を容易に調整することができる。
【００１４】
特に、第１のブッシュが軸体部に対してスライド移動可能であり、任意の位置で軸体部に固定可能であり、また、第２のブッシュが第１のブッシュに対してスライド移動可能であり、任意の位置で第１のブッシュに固定可能であれば、位置決めが容易である。
【００１５】
第２の発明は、電力ケーブル中間接続箱において、電力ケーブルを接続する際に使用される接続補助治具であって、軸体部と、前記軸体部の外周に固定可能な第１のブッシュと、前記第１のブッシュの外周に装着可能な第２のブッシュと、電力ケーブルの外周に装着可能な第３のブッシュと、前記第２のブッシュおよび前記第３のブッシュの外周に装着可能な把持部と、を具備し、前記第１のブッシュは、前記軸体部に対してスライド移動可能であり、任意の位置で前記軸体部に固定可能であり、前記２のブッシュは、前記第１のブッシュに対してスライド移動可能であり、任意の位置で前記第１のブッシュに固定可能であることを特徴とする電力ケーブルの接続補助治具である。
【００１６】
第２の発明によれば、スリップオン形の導体接続部に対して、確実に各部のずれを防止することができる。
【発明の効果】
【００１７】
本発明によれば、スリップオン形の導体接続部において、確実に各部のずれを防止することが可能な電力ケーブル接続方法および電力ケーブルの接続補助治具を提供することができる。
【図面の簡単な説明】
【００１８】
【図１】電力ケーブル中間接続箱１を示す断面図。
【図２】電力ケーブル接続補助治具１０を示す分解斜視図。
【図３】（ａ）、（ｂ）は電力ケーブルの接続工程を示す図。
【図４】（ａ）、（ｂ）は電力ケーブルの接続工程を示す図。
【図５】（ａ）、（ｂ）は電力ケーブルの接続工程を示す図。
【図６】（ａ）、（ｂ）は電力ケーブルの接続工程を示す図。
【図７】（ａ）、（ｂ）は電力ケーブルの接続工程を示す図。
【図８】（ａ）、（ｂ）は電力ケーブルの接続工程を示す図。
【図９】（ａ）、（ｂ）は電力ケーブルの接続工程を示す図。
【図１０】（ａ）、（ｂ）は電力ケーブルの接続工程を示す図。
【発明を実施するための形態】
【００１９】
以下、本発明の実施の形態にかかる電力ケーブルの接続方法について説明する。図１は、電力ケーブル中間接続箱１を示す断面図である。電力ケーブル中間接続箱１は、主に、内部電極３、絶縁筒体５、保護管７等から構成される。なお、絶縁筒体５の外周に設けられる遮蔽層や保護管７の端子等については図示を省略する。
【００２０】
内部電極３は、両側から電力ケーブルの先端（接続端子）が挿入されて両電力ケーブルの導体同士を電気的に接続する部材である。内部電極３は、例えば電力ケーブルの先端に設けられる溝に嵌合可能なピンが設けられ、電力ケーブルの抜けが防止される。電力ケーブルの先端が内部電極３に挿入されると、電力ケーブル先端の接続端子と内部電極３とが導通し、電気的に接続される。
【００２１】
内部電極３は絶縁筒体５に収容される。絶縁筒体５は、全体として弾性を有する略筒状の部材である。内部半導電層５ａは、半導電性のゴム材料からなる。内部半導電層５ａは、絶縁筒体５の内面側に形成される。
【００２２】
ストレスコーン５ｃは、内部半導電層５ａと同軸上であって、絶縁筒体５の両端部に位置するように、内部半導電層５ａと離隔して設けられる。ストレスコーン５ｃも半導電性のゴム材料からなる。ストレスコーン５ｃと内部半導電層５ａとは、補強絶縁層５ｂによって一体化される。補強絶縁層５ｂは、内部半導電層５ａおよびストレスコーン５ｃの外周の一部を覆うように形成されている。補強絶縁層５ｂの外周面には、外部半導電層５ｄが形成される。
【００２３】
絶縁筒体５の外周には、図示を省略した遮蔽層が設けられ、絶縁筒体５は保護管７の内部に収容される。すなわち、保護管７は、絶縁筒体５の外周側に設けられる。なお、保護管７の内部には図示を省略したコンパウンドが充填される。保護管７の両端には開口端９ａ、９ｂが設けられる。開口端９ａ、９ｂは、絶縁筒体５の中空部と同軸上に設けられる。なお、電力ケーブル中間接続箱１の構造は図示した例には限られない。
【００２４】
次に、電力ケーブル接続補助治具１０について説明する。図２は、電力ケーブル接続補助治具１０の構成を示す分解斜視図である。電力ケーブル接続補助治具１０は、主に、軸体部１１、第１ブッシュ１３、第２ブッシュ１５、第３ブッシュ１７、把持部１９等からなる。
【００２５】
軸体部１１は、棒状の部材であり、先端部が電力ケーブルの接続端子と同様の形状を有する。なお、軸体部１１の外径は、対象となる電力ケーブルの外周よりもやや細い。
【００２６】
第１ブッシュ１３は、内部に孔１３ａを有する筒状部材である。孔１３ａの内径は、軸体部１１の外径よりもわずかに大きい。このため、第１ブッシュ１３に軸体部１１を挿入可能である。また、第１ブッシュ１３は、軸体部１１に対してスライド移動可能であり、例えば図示を省略したボルト等によって第１ブッシュ１３を軸体部１１の外周の任意の位置に固定して装着可能である。
【００２７】
第２ブッシュ１５は、内部に孔１５ａを有し、端部にフランジ１５ｂを有する筒状部材である。孔１５ａの内径は、第１ブッシュ１３の外径よりもわずかに大きい。このため、第２ブッシュ１５に第１ブッシュ１３を挿入可能である。また、第２ブッシュ１５は、第１ブッシュ１３に対してスライド移動可能であり、例えば図示を省略したボルト等によって第２ブッシュ１５を第１ブッシュ１３の外周の任意の位置に固定して装着可能である。
【００２８】
第３ブッシュ１７は、半割の部材からなり、互いに対向する半割部１７ａ同士を対向させて突き合わせると、略円状の孔形状となり、端部にフランジを有する筒状部材となる。このようにして形成される第３ブッシュ１７の内径は、電力ケーブルの外径とほぼ一致する。このため、第３ブッシュ１７で電力ケーブルを挟み込み、電力ケーブルの外周に第３ブッシュ１７を装着可能である。
【００２９】
把持部１９は、半割の部材からなり、互いに対向する半割部１９ａ同士を対向させて突き合わせると、略円状の孔形状となり、対向する方向に棒状の部材（柄部）が突出する。このようにして形成される把持部１９の内径は、第２ブッシュ１５、第３ブッシュ１７の外周に装着可能である。すなわち、第２ブッシュ１５および第３ブッシュ１７の外径は、ほぼ同じである。なお、半割部１９ａを対向させて締め込むことで、把持部１９は、閉じた状態を維持することができる。
【００３０】
なお、図示したように、電力ケーブル接続補助治具１０は、軸体部１１、第１ブッシュ１３、第２ブッシュ１５、第３ブッシュ１７、把持部１９はすべて別体であってもよいが、一部の部材同士が一体であってもよい。
【００３１】
次に、電力ケーブル接続補助治具１０を用いた電力ケーブル接続方法について説明する。図３〜図１０は、電力ケーブル接続工程を示す図である。
【００３２】
まず、図３（ａ）に示すように、電力ケーブル中間接続箱１の一方の開口端９ａから、軸体部１１を挿入する。図３（ｂ）は、軸体部１１を電力ケーブル中間接続箱に挿入した状態を示す図である。この状態で、軸体部１１の先端を内部電極３に接触させる。
【００３３】
前述したように、軸体部１１の先端は、内部電極３と嵌合可能な電力ケーブルの接続端子と同様の形状であるため、軸体部１１の先端を内部電極３に確実に接触させることができる。また、軸体部１１は、絶縁筒体５の中空部の内径以下であるため、容易に軸体部１１を絶縁筒体５に挿入可能である。なお、軸体部１１は、電力ケーブル中間接続箱１（の半分の長さ）に対して十分に長いため、軸体部１１を挿入した状態で、軸体部１１が電力ケーブル中間接続箱１の端部から突出する。
【００３４】
次に、図４（ａ）に示すように、電力ケーブル中間接続箱１の端部から露出する軸体部１１に、第１ブッシュ１３を挿入する。すなわち、軸体部１１の外周に、第１ブッシュ１３を装着する。
【００３５】
図４（ｂ）は、第１ブッシュ１３を電力ケーブル中間接続箱１に挿入した状態を示す図である。第１ブッシュ１３の先端を絶縁筒体５に接触させ、この状態で、図示を省略したボルト等で、第１ブッシュ１３を軸体部１１の外周に固定する。
【００３６】
なお、第１ブッシュ１３は、絶縁筒体５の端部から保護管７の開口端９ａ、９ｂまでの長さに対して十分に長いため、第１ブッシュ１３を電力ケーブル中間接続箱１（保護管７）に挿入した状態で、第１ブッシュ１３が電力ケーブル中間接続箱１の端部から突出する。
【００３７】
次に、図５（ａ）に示すように、電力ケーブル中間接続箱１の端部から露出する第１ブッシュ１３に第２ブッシュ１５を挿入する。すなわち、第１ブッシュ１３の外周に、第２ブッシュ１５を装着する。
【００３８】
図５（ｂ）は、第１ブッシュ１３を電力ケーブル中間接続箱１に挿入した状態を示す図である。第２ブッシュ１５の端面（フランジ１５ｂ）を保護管７の端部に接触させ、この状態で、図示を省略したボルト等で、第２ブッシュ１５を第１ブッシュ１３の外周に固定する。
【００３９】
以上によって、電力ケーブル中間接続箱１の一方の開口端９ａから、電力ケーブル接続補助治具１０を挿入し、電力ケーブル接続補助治具１０によって、内部電極３、絶縁筒体５および保護管７を開口端９ａ側から支持することができる。
【００４０】
次に、図６（ａ）に示すように、第２ブッシュ１５を把持部１９で挟み込む。すなわち、第２ブッシュ１５の外周に把持部１９を装着する。図６（ｂ）は、把持部１９を第２ブッシュ１５の外周に配置した状態を示す図である。この状態で、把持部１９は、第２ブッシュ１５のフランジ１５ｂに接触する。
【００４１】
次に、図７（ａ）に示すように、把持部１９の柄部にレバーホイスト２１（例えば、レバーブロック（登録商標））を接続し、他端を第１の電力ケーブル２３ａに接続する。図示した例では、対向する位置に配置される一対の柄部にそれぞれレバーホイスト２１を接続する例を示す。
【００４２】
この状態で、電力ケーブル２３ａを把持部１９側に引っ張り、電力ケーブル中間接続箱１の他方の開口端９ｂから電力ケーブル２３ａの先端を挿入する。図７（ｂ）は、電力ケーブル２３ａが絶縁筒体５に完全に挿入され、電力ケーブル２３ａが内部電極３に接続された状態を示す図である。
【００４３】
ここで、電力ケーブル２３ａを把持部１９側に引っ張ると（図中矢印Ａ）、把持部１９は、その反力を受ける（図中矢印Ｂ）。すなわち、電力ケーブル接続補助治具１０は、内部電極３、絶縁筒体５および保護管７に接触して支持するため、電力ケーブル２３ａを引っ張る際の反力は、電力ケーブル接続補助治具１０によって、内部電極３、絶縁筒体５および保護管７で受けることができる。
【００４４】
以上により、電力ケーブル接続補助治具１０で反力を受けて、電力ケーブル中間接続箱１の開口端９ｂ側に電力ケーブル２３ａを挿入し、電力ケーブル２３ａの導体を内部電極３と電気的に接続することができる。この際、電力ケーブル接続補助治具１０で電力ケーブル中間接続箱１の各部が支持されるため、電力ケーブル２３ａの挿入時に、その抵抗によって、絶縁筒体５および保護管７が相対的にずれることを防止することができる。また、電力ケーブル２３ａが内部電極３に接続された状態で、内部電極３が過剰に押し込まれて、絶縁筒体５の軸方向に対してずれることを防止することができる。
【００４５】
電力ケーブル２３ａが接続された後、装着した電力ケーブル接続補助治具１０を電力ケーブル中間接続箱１からすべて撤去する。次に、図８（ａ）に示すように、電力ケーブル中間接続箱１の開口端９ｂから露出する電力ケーブル２３ａを第３ブッシュ１７で挟み込む。すなわち、第３ブッシュ１７を、電力ケーブル２３ａの外周に装着する。図８（ｂ）は、第３ブッシュ１７を電力ケーブル２３ａの外周に配置した状態を示す図である。この状態で、第３ブッシュ１７は、保護管７の端部に接触する。
【００４６】
次に、図９（ａ）に示すように、取り付けた第３ブッシュ１７を把持部１９で挟み込む。すなわち、把持部１９を、第３ブッシュ１７の外周に装着する。
【００４７】
図９（ｂ）は、把持部１９を第３ブッシュ１７の外周に配置した状態を示す図である。この状態で、把持部１９を、第３ブッシュ１７のフランジに接触させる。このようにすることで、電力ケーブル接続補助治具１０で、保護管７を開口端９ｂ側から支持することができる。なお、把持部１９で第３ブッシュ１７を挟み込んで締めこむことで、第３ブッシュ１７を電力ケーブル２３ａの外周に固定することができる。
【００４８】
次に、図１０（ａ）に示すように、把持部１９の柄部にレバーホイスト２１（例えば、レバーブロック（登録商標））を接続し、他端を第２の電力ケーブル２３ｂに接続する。この場合も、対向する位置に配置される一対の柄部にそれぞれレバーホイスト２１を接続する。
【００４９】
この状態で、電力ケーブル２３ｂを把持部１９側に引っ張り、電力ケーブル中間接続箱１の一方の開口端９ａから電力ケーブル２３ｂの先端を挿入する。図１０（ｂ）は、電力ケーブル２３ｂを絶縁筒体５に完全に挿入して、電力ケーブル２３ｂを内部電極３に接続した状態を示す図である。
【００５０】
ここで、電力ケーブル２３ａと同様に、電力ケーブル２３ｂを把持部１９側に引っ張ると（図中矢印Ｃ）、把持部１９では、その反力を受ける（図中矢印Ｄ）。すなわち、電力ケーブル接続補助治具１０は、保護管７に接触して支持するため、電力ケーブル２３ａを引っ張る際の反力は、電力ケーブル接続補助治具１０によって、保護管７で受けることができる。
【００５１】
以上により、電力ケーブル接続補助治具１０で反力を受けて、電力ケーブル中間接続箱１の開口端９ａ側に電力ケーブル２３ｂを挿入し、電力ケーブル２３ｂの導体を内部電極３と電気的に接続することができる。
【００５２】
なお、内部電極３、絶縁筒体５は、電力ケーブル接続補助治具１０と直接接触しないが、電力ケーブル接続補助治具１０によって保護管７および電力ケーブル２３ａを支持することで、電力ケーブル２３ａとの摩擦等によって内部電極３、絶縁筒体５のずれも防止される。
【００５３】
以上、本実施の形態によれば、電力ケーブル接続補助治具１０を用いることで、電力ケーブル２３ａ、２３ｂを電力ケーブル接続補助治具１０へ挿入する際に、電力ケーブル中間接続箱１において内部電極３等が軸方向にずれることを防止することができる。
【００５４】
また、電力ケーブル接続補助治具１０の軸体部１１、第１ブッシュ１３、第２ブッシュ１５、第３ブッシュ１７、把持部１９がそれぞれ別体であるため、電力ケーブル中間接続箱１のサイズなどによって、互いの位置を調整して適用することができる。
【００５５】
特に、第１ブッシュ１３が軸体部１１に対してスライド移動可能であり、任意の位置で軸体部１１に固定可能であるため、第１ブッシュ１３の位置調整が容易である。同様に第２ブッシュ１５が第１ブッシュ１３に対してスライド移動可能あり、任意の位置で第１ブッシュ１３に固定可能であるため、第２ブッシュ１５の位置調整が容易である。
【００５６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００５７】
１………電力ケーブル中間接続箱
３………内部電極
５………絶縁筒体
５ａ………内部半導電層
５ｂ………補強絶縁層
５ｃ………ストレスコーン
５ｄ………外部半導電層
７………保護管
９ａ、９ｂ………開口端
１０………電力ケーブル接続補助治具
１１………軸体部
１３………第１ブッシュ
１３ａ………孔
１５………第２ブッシュ
１５ａ………孔
１５ｂ………フランジ
１７………第３ブッシュ
１７ａ………半割部
１９………把持部
１９ａ………半割部
２１………レバーホイスト
２３ａ、２３ｂ………電力ケーブル
【図１】
2018038207.tif 000003
【図２】
2018038207.tif 000004
【図３】
2018038207.tif 000005
【図４】
2018038207.tif 000006
【図５】
2018038207.tif 000007
【図６】
2018038207.tif 000008
【図７】
2018038207.tif 000009
【図８】
2018038207.tif 000010
【図９】
2018038207.tif 000011
【図１０】
2018038207.tif 000012